(57)【要約】【課題】  構成を簡単化するとともに、緩衝材の緩衝効果を低減することなく、大きな緩衝材を不要として材料コストの軽減を図りながら、積載時の位置決めを確実とした包装箱を提供する。【解決手段】  ４つの側面１０のうち互いに対向する２つの第一側面１０Ａの上辺に折り曲げ自在に連結して設ける上面内フラップ１２と、互いに対向する残りの２つの第二側面１０Ｂの上辺に折り曲げ自在に連結して設ける上面外フラップ１５と、２つの第一側面の下辺に折り曲げ自在に連結して設ける下面内フラップ１７と、２つの第二側面の下辺に折り曲げ自在に連結して設ける下面外フラップ１８とからなる包装箱であり、上面外フラップ１５に引き起こし線で折り曲げて引き起こし自在に切り込み片１３を形成し、それを引き起こした状態で同一の包装箱を積み重ねたときに下段の包装箱の切り込み片が入り込む差し込み孔２０を第二側面１０Ｂに形成する。【選択図】      図１
2007055629.tif 000002
【特許請求の範囲】
【請求項１】
各２つを互いに対向して設ける４つの側面と、それら４つの側面のうち互いに対向する２つの第一側面にその上辺の折り曲げ線で折り曲げ自在に連結して設ける２つの上面内フラップと、互いに対向する残りの２つの第二側面にその上辺の折り曲げ線で折り曲げ自在に連結して設ける２つの上面外フラップと、前記２つの第一側面にその下辺の折り曲げ線で折り曲げ自在に連結して設ける２つの下面内フラップと、前記２つの第二側面にその下辺の折り曲げ線で折り曲げ自在に連結して設ける２つの下面外フラップとからなる包装箱において、
前記上面外フラップに引き起こし線で折り曲げて引き起こし自在に切り込み片を形成し、その切り込み片を引き起こした状態で積み重ねたときに下段のものの前記切り込み片が入り込む差し込み孔を前記第二側面または前記下面外フラップに形成することを特徴とする、包装箱。
【請求項２】
前記上面内フラップにも引き起こし線で折り曲げて引き起こし自在に切り込み片を形成し、前記上面外フラップを前記上面内フラップ上に重ね合わせてその上面内フラップの切り込み片を引き起こしたとき、該切り込み片が通過する挿通孔を前記上面外フラップに形成するとともに、その上面内フラップの切り込み片を引き起こした状態で積み重ねたときに下段のものの該切り込み片が入り込む差し込み孔も前期第二側面または前記下面外フラップに形成することを特徴とする、請求項１に記載の包装箱。
【請求項３】
前記切り込み片を、前記上面外フラップおよび前記上面内フラップにフラップごとに１つずつ形成することを特徴とする、請求項２に記載の包装箱。
【請求項４】
前記切り込み片の引き起こし線を、前記上面外フラップまたはそれと前記上面内フラップの双方の前記折り曲げ線上に設けることを特徴とする、請求項１ないし３のいずれかに記載の包装箱。
【請求項５】
前記切り込み片を引き起こすときに指を入れてその切り込み片に指を掛けるための指挿入孔を有することを特徴とする、請求項１ないし４のいずれかに記載の包装箱。
【発明の詳細な説明】
【技術分野】
【０００１】
この発明は、例えば、プリンタ、複写機、ファクシミリなどの製品を梱包するときに用いる包装箱に関する。具体的には、各２つを互いに対向して設ける４つの側面と、それら４つの側面のうち互いに対向する２つの第一側面の上辺に折り曲げ自在に連結して設ける２つの上面内フラップと、互いに対向する残りの２つの第二側面の上辺に折り曲げ自在に連結して設ける２つの上面外フラップと、２つの第一側面の下辺に折り曲げ自在に連結して設ける２つの下面内フラップと、２つの第二側面の下辺に折り曲げ自在に連結して設ける２つの下面外フラップとからなる包装箱に関する。
【背景技術】
【０００２】
この種の包装箱は、プリンタ等の製品を運搬したり保管したりするとき、収納して保護するが、その運搬時や保管時などには占有面積が大きくならないように積み重ねることが多かった。積み重ねるときには、ずれて崩れないように、下段の包装箱上に上段の包装箱を的確に位置決めして載置する必要がある。
【０００３】
このため、従来の包装箱では、例えば図５に示すように、緩衝材１を用い、下段の包装箱２Ａ上に上段の包装箱２Ｂを、その上段の包装箱２Ｂ上にさらに上段の包装箱２Ｃを的確に位置決めして積載していた。緩衝材１には、内面に製品収納凹部１ａを設け、図６にも示すように上面に上向きに嵌合凹部１ｂを、下面に下向きに嵌合凸部１ｃをそれぞれ２つずつ設けていた。
【０００４】
そして、図５に示すように、プリンタ等の製品３の片側を緩衝材１の製品収納凹部１ａ内に入れ、その製品３の他側を別の緩衝材１の製品収納凹部１ａ内に入れて後、段ボール箱４内に収納していた。段ボール箱４の上下フラップには、緩衝材１の嵌合凹部１ｂおよび嵌合凸部１ｃに対応してそれぞれ挿通孔をあけ、下フラップの貫通孔を通して突出する上段の包装箱２の緩衝材１の嵌合凸部１ｃを、上フラップの貫通孔を通して下段の包装箱２の緩衝材１の嵌合凹部１ｂにはめ込み、図示するごとく複数の包装箱２を積み重ねていた。
【０００５】
【特許文献１】実開昭５８-５９７２７号公報
【発明の開示】
【発明が解決しようとする課題】
【０００６】
ところが、このような従来の包装箱２では、個々の段ボール箱４の上下フラップに貫通孔をあけるのみならず、段ボール箱４内に設けて製品３を保持する緩衝材１にも嵌合凹部１ｂと嵌合凸部１ｃを設けなければならず、構成が複雑化するとともに、勢い緩衝材１も大きくなって材料コストが上がる問題があり、嵌合凹部１ｂや嵌合凸部１ｃを設けることから、緩衝材１の緩衝効果が低減する問題もあった。
【０００７】
そこで、この発明の第１の目的は、構成を簡単化するとともに、緩衝材の緩衝効果を低減するおそれなく、緩衝材が大型化することを防いで材料コストの軽減を図りながら、積載時の位置決めを確実として、積み上げたときにも荷崩れするおそれのない包装箱を提供することにある。
【０００８】
この発明の第２の目的は、上面外フラップに邪魔されることなく上面内フラップに設ける切り込み片の引き起こしも可能とし、積載時の位置決めをより一層確実とした包装箱を提供することにある。
【０００９】
この発明の第３の目的は、構成を複雑化することなく、上面外フラップおよび上面内フラップのフラップごとに１つずつ引き起こした切り込み片で、積載時の位置決めを均等でかつより一層確実とした包装箱を提供することにある。
【００１０】
この発明の第４の目的は、差し込み片への切り込み片の挿入を簡単として積み重ねを容易とした包装箱を提供することにある。
【００１１】
この発明の第５の目的は、積み重ねるときに切り込み片の引き起こしを簡単とした包装箱を提供することにある。
【課題を解決するための手段】
【００１２】
この発明は、各２つを互いに対向して設ける４つの側面と、それら４つの側面のうち互いに対向する２つの第一側面にその上辺の折り曲げ線で折り曲げ自在に連結して設ける２つの上面内フラップと、互いに対向する残りの２つの第二側面にその上辺の折り曲げ線で折り曲げ自在に連結して設ける２つの上面外フラップと、２つの第一側面にその下辺の折り曲げ線で折り曲げ自在に連結して設ける２つの下面内フラップと、２つの第二側面にその下辺の折り曲げ線で折り曲げ自在に連結して設ける２つの下面外フラップとからなる包装箱に関するものであり、上述した第１の目的を達成すべく、そのような包装箱において、上面外フラップに引き起こし線で折り曲げて引き起こし自在に、例えばコの字状にカットして切り込み片を形成し、その切り込み片を引き起こした状態で同一の包装箱を積み重ねたときに下段の包装箱の切り込み片が入り込む差し込み孔を第二側面に形成し、または下面外フラップに形成する、ことを特徴とする。差し込み孔は、切り込み片を形成する位置により、第二側面に形成してもよいし、下面外フラップに形成してもよい。
【００１３】
そして、包装箱を積み重ねるとき、引き起こし線で折り曲げて上面外フラップから切り込み片を引き起こし、包装箱を積載して下段の包装箱の切り込み片を上段の包装箱の差し込み孔に入れ、順に積み上げる。
【００１４】
請求項２に記載の発明は、上述した第２の目的を達成すべく、請求項１に記載の包装箱において、上面内フラップにも引き起こし線で折り曲げて引き起こし自在に、例えば同様にコの字状にカットして切り込み片を形成し、上面内フラップ上に上面外フラップを重ね合わせてその上面内フラップの切り込み片を引き起こしたとき、該切り込み片が通過する挿通孔を上面外フラップに形成するとともに、その上面内フラップの切り込み片を引き起こした状態で同一の包装箱を積み重ねたときに下段の包装箱の該切り込み片が入り込む差し込み孔も第二側面に形成し、または下面外フラップに形成する、ことを特徴とする。同様に、この差し込み孔も、上面内フラップの切り込み片を形成する位置により、第二側面に形成してもよいし、下面外フラップに形成してもよい。
【００１５】
そして、包装箱を積み重ねるとき、引き起こし線で折り曲げて上面外フラップの切り込み片を引き起こすとともに、上面内フラップの切り込み片も上面外フラップの挿通孔を通過して引き起こし、包装箱を積載して下段の包装箱の切り込み片を上段の包装箱の差し込み孔に入れ、順に積み上げる。
【００１６】
請求項３に記載の発明は、上述した第３の目的を達成すべく、請求項２に記載の包装箱において、切り込み片を、上面外フラップおよび上面内フラップにフラップごとに１つずつ形成する、ことを特徴とする。
【００１７】
そして、包装箱を積み重ねるとき、上面外フラップおよび上面内フラップの各フラップごとに１つずつ形成する切り込み片を引き起こし、包装箱を積載して下段の包装箱の切り込み片を上段の包装箱の差し込み孔に入れ、順に積み上げる。
【００１８】
請求項４に記載の発明は、上述した第４の目的を達成すべく、請求項１ないし３のいずれかに記載の包装箱において、切り込み片の引き起こし線を、上面外フラップまたはそれと上面内フラップの双方の折り曲げ線上に設ける、ことを特徴とする。
【００１９】
そして、包装箱を積み重ねるとき、上面外フラップまたはそれと上面内フラップの双方の折り曲げ線で折り曲げて切り込み片を引き起こし、包装箱を積載して下段の包装箱の切り込み片を見ながら上段の包装箱の差し込み孔に入れ、順に積み上げる。
【００２０】
請求項５に記載の発明は、上述した第５の目的を達成すべく、請求項１ないし４のいずれかに記載の包装箱において、切り込み片を引き起こすときに指を入れてその切り込み片に指を掛けるための指挿入孔を有する、ことを特徴とする。
【００２１】
そして、切り込み片を引き起こすとき、指挿入孔に指を入れて切り込み片に指を掛け、それを引き起こし線で折り曲げて引き上げる。
【発明の効果】
【００２２】
この発明によれば、包装箱自体に切り込み片と差し込み孔を設け、従来のように緩衝材に嵌合凸部や嵌合凹部を設けないから、構成を簡単化するとともに、緩衝材の緩衝効果を低減することなく、また大きな緩衝材を不要として材料コストの軽減を図ることができる。また、包装箱を積み重ねるとき、引き起こし線で折り曲げて切り込み片を引き起こし、包装箱を積載して下段の包装箱の切り込み片を上段の包装箱の差し込み孔に入れ、順に積み上げるので、切り込み片を差し込み孔に入れて積載時の位置決めを確実とし、位置ずれによる崩れのない包装箱を提供することができる。
【００２３】
請求項２に記載の発明によれば、包装箱を積み重ねるとき、引き起こし線で折り曲げて上面外フラップの切り込み片を引き起こすとともに、上面内フラップの切り込み片も上面外フラップの挿通孔を通過して引き起こすので、上面外フラップに邪魔されることなく上面内フラップに設ける切り込み片の引き起こしも可能とすることができる。そして、包装箱を積載して下段の包装箱の切り込み片を上段の包装箱の差し込み孔に入れ、順に積み上げるので、積載時の位置決めをより一層確実とし、位置ずれによる崩れのない包装箱を提供することができる。
【００２４】
請求項３に記載の発明によれば、切り込み片を、上面外フラップおよび上面内フラップにフラップごとに１つずつ形成するので、切り込み片を不必要に多くして構成を複雑化することなく、しかも包装箱を積み重ねるとき、各フラップごとに１つずつ形成する切り込み片を上段の包装箱の差し込み孔に入れ、順に積み上げるので、積載時の位置決めを均等でかつより一層確実とし、位置ずれによる崩れのない包装箱を提供することができる。
【００２５】
請求項４に記載の発明によれば、切り込み片の引き起こし線を、上面外フラップまたはそれと上面内フラップの双方の折り曲げ線上に設けるので、包装箱を積み重ねるとき、下段の包装箱の切り込み片を見ながら上段の包装箱の差し込み孔に入れ、順に積み上げるので、差し込み孔への切り込み片の挿入を簡単として積み重ねを容易とした包装箱を提供することができる。
【００２６】
請求項５に記載の発明によれば、切り込み片を引き起こすときに指を入れてその切り込み片に指を掛けるための指挿入孔を設け、切り込み片を引き起こすとき、指挿入孔に指を入れて切り込み片に指を掛け、それを引き起こし線で折り曲げて引き上げるので、積み重ねるときに切り込み片の引き起こしを簡単とした包装箱を提供することができる。
【発明を実施するための最良の形態】
【００２７】
以下、図面を参照しつつ、この発明の実施の最良形態につき説明する。
図１には、この発明による包装箱を展開して示す。
【００２８】
この発明による包装箱は、図１に示す長方形状の段ボールシートを組み立ててつくる。図中符号１０は、各２つを互いに対向して設ける４つの側板である。４つの側板１０は、互いに対向する２つの第一側板１０Ａと、互いに対向する残りの２つの第二側板１０Ｂとを順に交互に連結して構成する。図示例では、第一側面１０Ａを正方形状に近く、第２側面１０Ｂを横長な長方形状に形成する。そして、端の第二側板１０Ｂの開放側の側縁には、糊代となるつま１１を設ける。
【００２９】
２つの第一側板１０Ａには、各々上辺の横折り曲げ線ａで折り曲げ自在に、横長な長方形状の上面内フラップ１２を連結して設ける。各上面内フラップ１２には、この例ではコの字状にカットして切り込み片１３をフラップごとに１つずつ形成し、その切り込み片１３を、横折り曲げ線ａ上に設ける引き起こし線で折り曲げて引き起こし自在とする。各切り込み片１３の先端には、適宜形状の指挿入孔１４を設ける。この例では、指挿入孔１４を切り込み片１３自体に設けるが、切り込み片１３のまわりに設けてもよい。
【００３０】
他方、２つの第二側板１０Ｂにも、各々上辺の横折り曲げ線ｂで折り曲げ自在に、横長な長方形状の上面外フラップ１５を連結して設ける。各上面外フラップ１５にも、この例ではコの字状にカットして切り込み片１３をフラップごとに１つずつ形成し、その切り込み片１３を、横折り曲げ線ｂ上に設ける引き起こし線で折り曲げて引き起こし自在とする。同じく、各切り込み片１３の先端には、適宜形状の指挿入孔１４を設ける。この例では、指挿入孔１４を切り込み片１３自体に設けるが、同様に切り込み片１３のまわりに設けてもよい。なお、これら２つの上面外フラップ１５には、上面内フラップ１２側の側縁に、その上面内フラップ１２の切り込み片１３が容易に通過する挿通孔１６をあける。
【００３１】
一方、２つの第一側板１０Ａには、各々下辺の横折り曲げ線ｃで折り曲げ自在に、横長な長方形状の下面内フラップ１７を連結して設ける。また、２つの第二側板１０Ｂには、各々下辺の横折り曲げ線ｄで折り曲げ自在に、横長な長方形状の下面外フラップ１８を連結して設ける。
【００３２】
ところで、この図示例の包装箱では、下辺の横折り曲げ線ｃに沿って２つの第一側板１０Ａには、各々差し込み孔２０をあける。また、下辺の横折り曲げ線ｄに沿って２つの第二側板１０Ｂには、各々差し込み孔２０をあけてなる。
【００３３】
いま、図１に示す段ボールシートから包装箱を組み立てるときは、４つの側面１０を仕切る、図中点線で示す縦折り曲げ線ｅ〜ｈで折り曲げてつま１１を、端の第一側面１０Ａの開放側の側縁に貼り付け、横折り曲げ線ａで上面内フラップ１２を折り曲げてから、横折り曲げ線ｂで上面外フラップ１５を折り曲げるとともに、横折り曲げ線ｃで下面内フラップ１７を折り曲げてから、横折り曲げ線ｄで下面外フラップ１８を折り曲げて、図２に示すように組み立てる。この図２に示す状態では、切り込み片１３は、引き起こしてないので、包装箱を単品で持ち運ぶときにそれらが邪魔になることはない。
【００３４】
次に、上面内フラップ１２に上面外フラップ１５を重ね合わせたときは、上面内フラップ１２に形成した切り込み片１３が、上面外フラップ１５にあけた挿通孔１６に対応する位置となる。
【００３５】
このような包装箱内には、プリンタ、複写機、ファクシミリなどの製品を収納する。その後、指挿入孔１４に指を入れて上面外フラップ１５に形成した切り込み片１３に指の爪を掛け、引き起こし線で折り曲げて切り込み片１３を引き起こし、また挿通孔１６を通して指挿入孔１４に指を入れて上面内フラップ１２に形成した切り込み片１３に爪を掛け、引き起こし線で折り曲げて切り込み片１３を、上面外フラップ１５の挿通孔１６を通過して引き起こし、図３に示す状態とする。
【００３６】
それから、図４に示すように、この切り込み片１３を引き起こした状態で包装箱１００上に同一の包装箱２００を積み重ねるとき、下段の包装箱１００の切り込み片１３が上段の包装箱２００の差し込み孔２０に対応する位置となり、下段の包装箱１００上に上段の包装箱２００を積載すると、下段の包装箱１００の切り込み片１３が上段の包装箱２００の差し込み孔２０内に大きなガタなく入り込む。図示例では、包装箱を二段に積み重ねるが、上段の包装箱２００の切り込み片１３を引き起こすことにより、もちろん三段以上に積み重ねることもできる。
【００３７】
これにより、包装箱自体に切り込み片１３と差し込み孔２０を設け、従来のように緩衝材に嵌合凸部や嵌合凹部を設ける必要がないから、構成を簡単化するとともに、緩衝材の緩衝効果を低減したりすることなく、また大きな緩衝材を不要として材料コストの軽減を図ることができる。さらに、包装箱を積み重ねるとき、引き起こし線で折り曲げて切り込み片１３を引き起こし、包装箱を積載して下段の包装箱１００の切り込み片１３を上段の包装箱２００の差し込み孔２０に入れ、順に積み上げるので、切り込み片１３を差し込み孔２０に入れて積載時の位置決めを確実とし、位置ずれによる崩れのない包装箱を提供することができる。
【００３８】
また、図示例によれば、包装箱を積み重ねるとき、引き起こし線で折り曲げて上面外フラップ１５の切り込み片１３を引き起こすとともに、上面内フラップ１２の切り込み片１３も上面外フラップ１５の挿通孔１６を通過して引き起こすので、上面外フラップ１５に邪魔されることなく上面内フラップ１２に設ける切り込み片１３の引き起こしも可能とすることができる。そして、包装箱を積載して下段の包装箱１００の切り込み片１３を上段の包装箱２００の差し込み孔１３に入れ、順に積み上げるので、上面外フラップ１５の切り込み片１３のみの場合に比し、積載時の位置決めをより一層確実とし、位置ずれによる崩れのない包装箱を提供することができる。
【００３９】
さて、切り込み片１３は、いくつ設けてもよいが、図示例のごとく上面外フラップ１５および上面内フラップ１２にフラップごとに１つずつ形成すると、切り込み片１３をいたずらに多くして構成を複雑化することなく、しかも包装箱を積み重ねるとき、各フラップごとに１つずつ形成する切り込み片１３を上段の包装箱２００の差し込み孔２０に入れ、順に積み上げるので、積載時の位置決めを均等でかつより一層確実とし、位置ずれによる崩れのない包装箱を提供することができる。
【００４０】
ところで、図示例の包装箱では、切り込み片１３の引き起こし線を、上面外フラップ１５またはそれと上面内フラップ１２の双方の横折り曲げ線ａ、ｂ上に設けるので、包装箱を積み重ねるとき、下段の包装箱１００の切り込み片１３を見ながら上段の包装箱２００の差し込み孔２０に入れ、順に積み上げるので、差し込み孔２０への切り込み片１３の挿入を簡単として積み重ねを容易とした包装箱を提供することができる。なお、下段の包装箱の上面外フラップ１５の適宜位置に切り込み片１３を形成し、その切り込み片１３を上段の包装箱の下面外フラップ１８にあけた差し込み孔に入れて上下段に積み重ねた包装箱を位置決めすることもできる。
【００４１】
切り込み片１３自体、またはその切り込み片１３のまわりに、切り込み片１３を引き起こすときに指を入れてその切り込み片１３に指を掛けるための指挿入孔１４を設け、切り込み片１３を引き起こすとき、指挿入孔１４に指を入れて切り込み片１３に指を掛け、それを引き起こし線で折り曲げて引き上げるので、積み重ねるときに切り込み片１３の引き起こしを簡単とすることができる。
【図面の簡単な説明】
【００４２】
【図１】この発明による包装箱の展開図である。
【図２】その包装箱の組立て斜視図である。
【図３】その包装箱の切り込み片を引き起こした状態を示す斜視図である。
【図４】その包装箱を積み重ねる状態を示す図である。
【図５】従来の包装箱の積み重ね状態の縦断面図である。
【図６】その従来の包装箱で用いる緩衝材の斜視図である。
【符号の説明】
【００４３】
１０    側面
１０Ａ  第一側面
１０Ｂ  第二側面
１２    上面内フラップ
１３    切り込み片
１４    指挿入孔
１５    上面外フラップ
１６    挿通孔
１７    下面内フラップ
１８    下面外フラップ
２０    切り込み片
１００    下段の包装箱
２００    上段の包装箱
ａ      第一側板の上辺の横折り曲げ線
ｂ      第二側板の上辺の横折り曲げ線
ｃ      第一側板の下辺の横折り曲げ線
ｄ      第二側板の下辺の横折り曲げ線
【図１】
2007055629.tif 000003
【図２】
2007055629.tif 000004
【図３】
2007055629.tif 000005
【図４】
2007055629.tif 000006
【図５】
2007055629.tif 000007
【図６】
2007055629.tif 000008